(57)【要約】【課題】鑑別精度のあまり高くない鑑別部を用いても似非硬貨の入金を防止できる安価な硬貨取扱装置を実現する。【解決手段】斜面４ａを有する板状体により硬貨分割部４を搬送ベルト２上に設けて、硬貨をこの硬貨分割部４の斜面４ａに突当てるようにしているため、硬貨投入口１から投入された硬貨中に似非硬貨１１が入っていた場合、その似非硬貨１１を鑑別部５で搬送異常が検出されるように厚さ方向で少なくとも２つに分割するようにし、リジェクト部６でリジェクトされるようにした。【選択図】図１
2010277254.tif 000002
【特許請求の範囲】
【請求項１】
投入口から投入される硬貨を搬送路により一定の間隔で搬送し、鑑別部で硬貨の金種等の鑑別を行うと共に重ね送りや連鎖等の搬送異常を検出して、金種不明等と鑑別された硬貨及び搬送異常が検出された硬貨を入金しないようにリジェクト部でリジェクトする硬貨取扱装置において、
前記搬送路上の前記鑑別部の手前の位置に衝撃付与部を設け、
搬送路により送られてくる硬貨に前記衝撃付与部で衝撃を与えることを特徴とする硬貨取扱装置。
【請求項２】
請求項１記載の硬貨取扱装置において、
前記衝撃付与部は搬送路により搬送される硬貨に対向する部分を斜面とした板状体として、その斜面部分を刃先のように先細りの形状に形成し、
厚さ方向で少なくとも２分割されるように表面部と裏面部を嵌合させた似非硬貨を前記板状体の斜面部分を衝突させて衝撃を与えることで分割すると共に重ね送りや連鎖等の搬送異常を生じさせることを特徴とする硬貨取扱装置。
【請求項３】
請求項１記載の硬貨取扱装置において、
前記衝撃付与部は表面に山部と谷部を連続的に形成し、
厚さ方向で少なくとも２分割されるように表面部と裏面部を嵌合させた似非硬貨を前記山部と谷部を通過させることにより振動による衝撃を与えて分割すると共に重ね送りや連鎖等の搬送異常を生じさせることを特徴とする硬貨取扱装置。
【発明の詳細な説明】
【技術分野】
【０００１】
本発明は、硬貨取扱装置に関するもので、特に手品等で使用する似非硬貨の入金の防止を実現する硬貨取扱装置に関するものである。
【背景技術】
【０００２】
例えば小売店等で使用されるポスレジスタ等には、硬貨の入出金処理を行うために硬貨取扱装置が組み込まれており、この硬貨取扱装置は、投入口から投入された硬貨をゲートで規制して１枚ずつ鑑別部に搬送し、この鑑別部で真偽、金種、連鎖等の鑑別を行うものとなっている。
【０００３】
従来のこの種の硬貨取扱装置における硬貨部として、例えば、特許文献１に示されるように、磁気センサと光学センサとを用い、両センサにより硬貨の穴の有無、材質、外径、特定部の凹凸パターンを検知して真偽、金種等を鑑別するものや、特許文献２に示されるように、発信コイルと受信コイルからなる材質検出センサと径検出センサを用い、硬貨の材質及び径を検出することで硬貨の正（真）偽及び金種を鑑別するもの等が提案されており、これらの鑑別部は鑑別精度が高いとはいえないが、安価であるので広く用いられている。
【先行技術文献】
【特許文献】
【０００４】
【特許文献１】特開平８−３６６０号公報
【特許文献２】特開平５−２９８５１９号公報
【発明の概要】
【発明が解決しようとする課題】
【０００５】
しかしながら、上述した従来の技術においては、以下の問題がある。
【０００６】
例えば、手品等に使用される似非硬貨があり、この似非硬貨として片面のみ材質と径が本物の硬貨と同様でかつ表面の文様が本物の硬貨と同一ではないが似たような形状に作られ、他面には別の金種に似せた硬貨を嵌込んだ構造のものがあるが、このような疑似硬貨が投入された場合、材質や径及び凹凸パターンを比較して排除することは難しく、本物の硬貨と鑑別して入金してしまうという問題がある。
【０００７】
これを解決するためには、例えば特開２００８−９７５４０号公報に示されるように、イメージセンサで取得した硬貨の画像データから硬貨表面の文様を正確に抽出し、その抽出した凹凸部の形状とマスタデータとの相関を求めることで硬貨の真贋（偽）を判定する鑑別部、あるいは最近提案されている偽造硬貨を音波で識別するようにした鑑別部を採用すればよいが、これらの鑑別部は非常に高価であるため、レジスター等に組み込まれる硬貨取扱装置には不適である。
【０００８】
本発明は、このような問題を解決することを課題とする。
【課題を解決するための手段】
【０００９】
そのため、本発明は、投入口から投入される硬貨を搬送路により一定の間隔で搬送し、鑑別部で硬貨の金種等の鑑別を行うと共に重ね送りや連鎖等の搬送異常を検出して、金種不明等と鑑別された硬貨及び搬送異常が検出された硬貨を入金しないようにリジェクト部でリジェクトする硬貨取扱装置において、前記搬送路上の前記鑑別部の手前の位置に衝撃付与部を設け、搬送路により送られてくる硬貨に前記衝撃付与部で衝撃を与えることを特徴とする。
【発明の効果】
【００１０】
このようにした本発明は、厚さ方向で少なくとも２分割されるように表面部と裏面部を嵌合させた似非硬貨が投入口から投入された硬貨中に混入していた場合、その似非硬貨を鑑別部で搬送異常が検知されるように衝撃付与部で衝撃を与えることで厚さ方向に分割することができ、これにより似非硬貨をリジェクトすることができるため、鑑別精度のあまり高くない鑑別部を用いても似非硬貨の入金を防止できる安価な硬貨取扱装置を実現できるという効果が得られる。
【図面の簡単な説明】
【００１１】
【図１】第１の実施例を示す平面図
【図２】第１の実施例を示す正面図
【図３】第１の実施例で使用される硬貨分割部の説明図
【図４】手品等で使用される似非硬貨の拡大断面図
【図５】第２の実施例を示す平面図
【図６】第２の実施例で使用される硬貨分割部の説明図
【発明を実施するための形態】
【００１２】
以下、図面を参照して本発明による硬貨取扱装置の実施例を説明する。
【実施例１】
【００１３】
図１は第１の実施例を示す平面図、図２は第１の実施例を示す正面図、図３は第１の実施例で使用される硬貨分割部の説明図である。
【００１４】
図において１は硬貨投入口で、装置の手前側の一端（図では右端）に設けられており、この硬貨投入口１の下部には左端に向かって硬貨を搬送する搬送路としての搬送ベルト２が設けられていて、この搬送ベルト２は図示しない搬送モータにより回転（循環移動）するものとなっている。
【００１５】
この搬送ベルト２上にはリバースローラ３が設けられており、搬送ベルト２による硬貨搬送方向と逆方向に硬貨を送り戻す方向に回転するものとなっている。このリバースローラ３と搬送ベルト２との間には、例えば硬貨の中で一番厚さのある５００円硬貨の厚み程度の間隔が設定され、これにより各金種の硬貨を１枚だけ通過させるゲートが構成されている。
【００１６】
硬貨搬送方向におけるリバースローラ３の下流側には金属等の硬質の板状体で形成された硬貨分割部（衝撃付与部）４が設けられている。この硬貨分割部４は図３（ａ）に示したように硬貨の突き当たり面を斜面とした例えば直角三角形に形成され、その斜面部分４ａは図３（ｂ）に示したように刃先のような先細りの形状に形成されており、その先端部分（辺を成す部分が）が、例えば５００円硬貨の厚さのほぼ中央部分に当たるようにしてある。
【００１７】
尚、硬貨分割部４は図示しないブラケット等を介して装置のフレーム等に固定され、板面が搬送ベルト２と平行になるように保持されているが、後述するガイド板側に硬貨をガイドするガイド部材としても機能するようにするために搬送ベルト２による硬貨搬送方向に若干回動するように支持してもよい。
【００１８】
前記搬送路の他端（図では右端）側には装置の手前側から奥側に向かって延びる搬送路を成すガイド板５が設けられ、このガイド板５には鑑別部６とリジェクト部７が、鑑別部６が手前側になるように設けられている。この鑑別部６は磁気センサと光学センサとを用い、両センサにより硬貨の穴の有無、材質、外径、特定部の凹凸パターンを検知して真偽、金種等を鑑別すると共に、光学センサによる連鎖や重ね送り等の搬送異常の検知、及び金種が確定した硬貨の計数を行うものとなっており、リジェクト部７は鑑別部６で偽あるいは金種不明と鑑別された硬貨をリジェクト口に排出するために最大径の硬貨（５百円硬貨）排出可能な硬貨排出口とその硬貨排出口に設けられた開閉可能なリジェクト扉を備えたものとなっている。
【００１９】
また、ガイド板５の奥側は右方向に直角に曲折して搬送ベルト２と平行に延び、その搬送ベルト２と平行に延びた部分には各金種の硬貨の径に応じた硬貨孔が設けられ、各孔にはそれぞれ開閉可能な扉が設けられている。
【００２０】
更に、ガイド板５の各端部及び角部にはプーリ８ａ〜８ｄが設けられており、これらのプーリには搬送バー移動ベルト９がガイド板５と同形状を成すように巻きかけられていて、図示しない搬送モータにより回転（循環移動）するものとなっている。
【００２１】
この搬送バー移動ベルト９の内面側には硬貨分割部４によりガイドされた硬貨を引き取って硬貨搬送バー１０が所定の間隔で取付けられており、この硬貨搬送バー１０はプーリ８ａからプーリ８ｂを経てプーリ８ｃにいたる経路では、硬貨を押して搬送するが、プーリ８ｃからプーリ８ｄを経てプーリ８ａに戻る経路では硬貨と接触しないように退避するようになっている。またプーリ８ａ〜８ｄは硬貨搬送バー１０が引っかかることなく移動できる構造となっている。
【００２２】
尚、この硬貨搬送バー１０に変えて硬貨をガイド板５上に搬送ベルトを設けて硬貨を搬送するようにしてもよい。
【００２３】
図４は手品等で使用される似非硬貨の拡大断面図で、図示したようにこの似非硬貨１１は、片面側部分１１ａの材質と径が例えば本物の５百円硬貨と同様でかつ表面の文様が本物の５百円硬貨と同一ではないが似たような形状に作られ、この片面側部分１１ａに対する多面側部分は片面側部分１１ａとは異なる金種例えば百円硬貨と表面の文様が本物と同一ではないが似たような形状に作られた異金種部分１１ｂとこの異金種部分１１ｂの外周に設けたリング部材１１ｃにより構成されている。そして異金種部分１１ｂの一部は片面側部分１１ａを嵌込まれており、リング部材１１ｃは片面側部分１１ａの材質と外径が同様のものとなっていて、これにより似非硬貨１１はあたかも一枚であるかの外観を持つが、比較的軽い衝撃を加えたり厚さ方向の中央部分つまり片面側部分１１ａとリング部材１１ｃの境目に爪を立てたりすることで厚さ方向に２分割できるものとなっている。
【００２４】
上述した構成の作用について説明する。
【００２５】
尚、以下に説明する各部の動作は、図示しない記憶部に格納されたプログラム（ソフトウェア）に基づいて図示しない制御部により制御されるものとする。
【００２６】
まず、硬貨投入口１から硬貨が投入されると、その硬貨は図示しない分離手段に一定間隔で搬送ベルト２上に送り込まれて、該搬送ベルト２により搬送され、その途中で搬送ベルト２とリバールローラ３との間のゲートを通過する。このとき硬貨が複数枚かたまっていた場合はゲートにより一枚ずつに分離される。
【００２７】
ゲートを通過した硬貨は搬送ベルト２上に設けられた硬貨分割部４の斜面部分４ａに衝突し、この斜面部分４ａにガイドされてガイド板５上に移動するが、似非硬貨１１以外の硬貨であれば斜面部分４ａに衝突による衝撃が与えられても分割されることなくガイド板５上に移動する。ガイド板５上に移動した硬貨は搬送バー移動ベルト９の回転に移動している硬貨搬送バー１０により押されてガイド板５上を奥側に搬送され、鑑別部６で真偽、金種等を鑑別と連鎖や重ね送り等の搬送異常の検知が行われる。
【００２８】
その結果、偽あるいは金種不明と鑑別された硬貨あるいは連鎖や重ね送り等の搬送異常が検知された硬貨は、更に硬貨搬送バー１０により押されて搬送されて行く途中でリジェクト部７に達するとリジェクト扉が開いて硬貨排出孔からリジェクト口に送られる。
【００２９】
一方、鑑別部６で真と鑑別され、かつ金種が判明した硬貨は計数された後、硬貨搬送バー１０により押されて搬送されて更に搬送されて行き、搬送ベルト２と平行な部分で金種別の扉が開かれて硬貨孔から図示しない硬貨貯留部ヘ落下集積される。
【００３０】
このようにして、硬貨の入金処理が行われるが、硬貨投入口１から投入された硬貨中に図３に示したような似非硬貨１１が入っていた場合、搬送ベルト２上で硬貨分割部４の斜面部分４ａに衝突することで衝撃が与えられると、その衝撃で厚さ方向に片面側部分１１ａと異金種部分１１ｂ及びリング部材１１ｃとに２分割あるいは異金種部分１１ｂとリング部材１１ｃも分かれれば３分割されることになる。また、本実施例ではこの斜面部分４ａが先細りの形状に形成されており、斜面部分４ａの先端が似非硬貨１１の厚さ方向の中央部つまり片面側部分１１ａとリング部材１１ｃの境目の部分にあたるため、似非硬貨１１を容易に分割することができる。
【００３１】
分割された似非硬貨１１の片面側部分１１ａと異金種部分１１ｂとリング部材１１ｃは硬貨分割部４の斜面部分４ａにガイドされてガイド板５上に移動し、硬貨搬送バー１０により鑑別部６に搬送されるが、この似非硬貨１１の片面側部分１１ａと異金種部分１１ｂとリング部材１１ｃは互いに重なるか、または互いに接近した連鎖の状態で鑑別部６に搬送されるので、鑑別部６で搬送異常として検知される。従って、似非硬貨１１の片面側部分１１ａと異金種部分１１ｂ及びリング部材１１ｃはリジェクト部７に達するとリジェクト扉が開いて硬貨排出孔からリジェクト口に送られ、入金が阻止される。
【００３２】
以上説明したように、第１の実施例では、斜面を有する硬貨分割部を硬貨搬送路上に設けて、硬貨をこの硬貨分割部の斜面部分に突当てるようにしているため、硬貨投入口から投入された硬貨中に似非硬貨が入っていた場合、その似非硬貨を鑑別部で搬送異常が検知されるように厚さ方向で少なくとも２つに分割することができ、これにより似非硬貨をリジェクトするようにしているため、鑑別精度のあまり高くない鑑別部を用いても似非硬貨の入金を防止できる安価な硬貨取扱装置を実現できるという効果が得られる。
【実施例２】
【００３３】
図５は本発明の第２の実施例を示す平面図、図６は第２の実施例で使用される硬貨分割部の説明図であり、この第２の実施例は第１の実施例における三角板状の硬貨分割部４に代えて硬貨分割部１２をガイド板５上の鑑別部６の手前の位置に配置したもので、この硬貨分割部１２は、図５に示したよう硬質の板状体の表面に山部１２ａと谷部１２ｂを交互にかつ連続的に形成したものとなっている。
【００３４】
尚、この他の構成は第１の実施例と同様であるので、同一の符号を付してその説明を省略する。
【００３５】
上述した構成の作用について説明する。
【００３６】
尚、以下に説明する各部の動作は、第１の実施例と同様に図示しない記憶部に格納されたプログラムに基づいて図示しない制御部により制御されるものとする。
【００３７】
まず、硬貨投入口１から硬貨が投入されると、その硬貨は図示しない分離手段に一定間隔で搬送ベルト２上に送り込まれて、該搬送ベルト２により搬送され、その途中で搬送ベルト２とリバールローラ３との間のゲートを通過する。このとき硬貨が複数枚かたまっていた場合はゲートにより一枚ずつに分離される。
【００３８】
ゲートを通過した硬貨は搬送ベルト２終端部で搬送バー移動ベルト９の回転に移動している硬貨搬送バー１０により押されてガイド板５上に移動し、ガイド板５上を奥側に搬送されて硬貨分割部１２上の連続的な山部１２ａと谷部１２ｂを通過する。この山部１２ａと谷部１２ｂを通過することで硬貨に振動による衝撃が与えられるが、似非硬貨１１以外の硬貨であれば衝撃が与えられても分割されることなく鑑別部６に搬送されて真偽、金種等を鑑別と連鎖や重ね送り等の搬送異常の検知が行われる。
【００３９】
その結果、偽あるいは金種不明と鑑別された硬貨あるいは連鎖や重ね送り等の搬送異常が検知された硬貨は、更に硬貨搬送バー１０により押されて搬送されて行く途中でリジェクト部７に達するとリジェクト扉が開いて硬貨排出孔からリジェクト口に送られる。
【００４０】
一方、鑑別部６で真と鑑別され、かつ金種が判明した硬貨は計数された後、硬貨搬送バー１０により押されて搬送されて更に搬送されて行き、搬送ベルト２と平行な部分で金種別の扉が開かれて硬貨孔から図示しない硬貨貯留部ヘ落下集積される。
【００４１】
このようにして、硬貨の入金処理が行われるが、硬貨投入口１から投入された硬貨中に図３に示したような似非硬貨１１が入っていた場合、硬貨分割部１２の山部１２ａと谷部１２ｂを通過することでその似非硬貨１１に振動による衝撃が与えられるので、その衝撃で厚さ方向に片面側部分１１ａと異金種部分１１ｂ及びリング部材１１ｃとに２分割あるいは異金種部分１１ｂとリング部材１１ｃも分かれれば３分割されることになる。
【００４２】
分割された似非硬貨１１の片面側部分１１ａと異金種部分１１ｂとリング部材１１ｃは硬貨分割部４の斜面部分４ａにガイドされてガイド板５上に移動し、硬貨搬送バー１０により鑑別部６に搬送されるが、この似非硬貨１１の片面側部分１１ａと異金種部分１１ｂとリング部材１１ｃは互いに重なるか、または互いに接近した連鎖の状態で鑑別部６に搬送されるので、鑑別部６で搬送異常として検知される。従って、似非硬貨１１の片面側部分１１ａと異金種部分１１ｂ及びリング部材１１ｃはリジェクト部７に達するとリジェクト扉が開いて硬貨排出孔からリジェクト口に送られ、入金が阻止される。
【００４３】
以上説明したように、第２の実施例では、表面に山部と谷部を連続的に設けた硬貨分割部を硬貨搬送路上に設けて、硬貨が硬貨分割部を通過する山部と谷部により振動を与えるようにしているため、硬貨投入口から投入された硬貨中に似非硬貨が入っていた場合、その似非硬貨を鑑別部で搬送異常が検知されるように厚さ方向で少なくとも２つに分割することができ、これにより似非硬貨をリジェクトするようにしているため、第１の実施例と同様に鑑別精度のあまり高くない鑑別部を用いても似非硬貨の入金を防止できる安価な硬貨取扱装置を実現できるという効果が得られる。
【符号の説明】
【００４４】
１    硬貨投入口
２    搬送ベルト
３    リバースローラ
４    硬貨分割部
４ａ  斜面
５    ガイド板
６    鑑別部
７    リジェクト部
８ａ〜８ｄ  プーリ    
９    搬送バー移動ベルト
１０  硬貨搬送バー
１１  似非硬貨
１１ａ  片面側部分
１１ｂ  異金種部分
１１ｂ  リング部材
１２  硬貨分割部
１２ａ  山部
１２ｂ  谷部
【図１】
2010277254.tif 000003
【図２】
2010277254.tif 000004
【図３】
2010277254.tif 000005
【図４】
2010277254.tif 000006
【図５】
2010277254.tif 000007
【図６】
2010277254.tif 000008